【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
入力ビデオの符号化ビットレート、歪み、および複雑性を最適化するためのコンピュータ・システムであって、
該入力ビデオの包括的ＶＤＬ、時間ＶＤＬ、および空間ＶＤＬを取得し、
該入力ビデオの該包括的ＶＤＬ、該時間ＶＤＬ、および該空間ＶＤＬを、対応する基準包括的ＶＤＬ、基準時間ＶＤＬ、および基準空間ＶＤＬと比較し、
該比較に基づいて該入力ビデオの符号化ビットレート、包括的符号化複雑性、時間符号化複雑性、および空間符号化複雑性を調整するように構成されたビデオ記述長（ＶＤＬ）モジュールと、
該ビデオ記述長モジュールに結合されたビデオ・トランスコーダであって、該入力ビデオの調整された符号化ビットレート、該包括的符号化複雑性、該時間符号化複雑性、および該空間符号化複雑性によって該入力ビデオを符号化するように構成されたビデオ・トランスコーダと、を備え、
該入力ビデオの包括的ＶＤＬは該入力ビデオの包括的なコンテンツ複雑性を示し、該入力ビデオの時間ＶＤＬは該入力ビデオの時間的な複雑性を示し、該入力ビデオの空間ＶＤＬは該入力ビデオの空間的な複雑性を示す、システム。
【請求項２】
前記入力ビデオの前記包括的ＶＤＬが、所定の固定レート因子と計算複雑性レベルとにより符号化された前記入力ビデオの実際のビットレートによって表される、請求項１に記載のシステム。
【請求項３】
前記入力ビデオの前記時間ＶＤＬが、同じ所定の固定レート因子と異なる計算複雑性レベルとによって符号化された前記入力ビデオの複数の実際のビットレートの間の差によって表される、請求項１に記載のシステム。
【請求項４】
前記入力ビデオの前記空間ＶＤＬが、異なる所定の固定レート因子と同じ計算複雑性レベルによって符号化された前記入力ビデオの複数の実際のビットレートの間の差によって表される、請求項１に記載のシステム。
【請求項５】
前記基準包括的ＶＤＬ、前記基準時間ＶＤＬ、および前記基準空間ＶＤＬが、動的な複雑性の参照テーブルまたは静的な複雑性の参照テーブルの少なくとも１つの行に由来する
請求項１に記載のシステム。
【請求項６】
前記動的なＶＤＬ参照テーブルが、前記入力ビデオを符号化することにより生成された前記基準包括的ＶＤＬ、前記基準時間ＶＤＬ、および前記基準空間ＶＤＬを保有する請求項５に記載のシステム。
【請求項７】
前記静的なＶＤＬ参照テーブルが、ビデオ・コーパスに記憶されたビデオの平均の包括的ＶＤＬ、平均の時間ＶＤＬ、および平均の空間ＶＤＬを保有する請求項５に記載のシステム。
【請求項８】
前記ビデオ・トランスコーダが、
前記入力ビデオに関連する目標のビットレートに基づいてＣＲＦ基準ビットレート・モデルから得られた固定レート因子（ＣＲＦ）によって前記入力ビデオを符号化し、
該符号化から改訂因子を計算し、
該改訂因子によって該ＣＲＦ基準ビットレート・モデルを修正し、
修正されたＣＲＦ基準ビットレート・モデルから得られた該固定レート因子によって前記入力ビデオを符号化するようにさらに構成される、請求項１に記載のシステム。
【請求項９】
前記ビデオ・トランスコーダが、
修正された固定ビットレート因子によって前記入力ビデオを符号化する実際のビットレートが前記入力ビデオの前記目標のビットレートの所定の範囲内にあるかどうかを検証するようにさらに構成される、請求項８に記載のシステム。
【請求項１０】
前記ＣＲＦ基準ビットレート・モデルが、
複数のビデオに対するビデオ符号化の前記固定レート因子とレート−歪みの性能との間の関係をモデル化し、
該モデル化からビデオ符号化の固定レート因子と平均ビットレートとの間の１つまたは複数の関係を得るように構成される請求項８に記載のシステム。
【請求項１１】
ビデオ符号化の前記固定レート因子と前記レート−歪みの性能との間の前記関係によって、複数のビデオの符号化の固定レート因子と平均ビットレートとの間の前記関係をモデル化する請求項１０に記載のシステム。
【請求項１２】
入力ビデオの符号化ビットレート、歪み、および複雑性を最適化するための方法であって、
該入力ビデオの包括的ビデオ記述長（ＶＤＬ）、時間ＶＤＬ、および空間ＶＤＬを取得する工程と、
該入力ビデオの該包括的ＶＤＬ、該時間ＶＤＬ、および該空間ＶＤＬを、対応する基準包括的ＶＤＬ、基準時間ＶＤＬ、および基準空間ＶＤＬと比較する工程と、
該比較に基づいて該入力ビデオの符号化ビットレート、包括的符号化複雑性、時間符号化複雑性、および空間符号化複雑性を調整する工程と、
該入力ビデオの調整された符号化ビットレート、該包括的符号化複雑性、該時間符号化複雑性、および該空間符号化複雑性によって該入力ビデオを符号化する工程とを備え、
該入力ビデオの包括的ＶＤＬは該入力ビデオの包括的なコンテンツ複雑性を示し、該入力ビデオの時間ＶＤＬは該入力ビデオの時間的な複雑性を示し、該入力ビデオの空間ＶＤＬは該入力ビデオの空間的な複雑性を示す、方法。
【請求項１３】
前記入力ビデオの前記包括的ＶＤＬが、所定の固定レート因子および計算複雑性レベルにより符号化された前記入力ビデオの実際のビットレートによって表される請求項１２に記載の方法。
【請求項１４】
前記入力ビデオの前記時間ＶＤＬが、同じ所定の固定レート因子および異なる計算複雑性レベルによって符号化された前記入力ビデオの実際のビットレートの間の差によって表される請求項１２に記載の方法。
【請求項１５】
前記入力ビデオの前記空間ＶＤＬが、異なる所定の固定レート因子および同じ計算複雑性レベルによって符号化された前記入力ビデオの実際のビットレートの間の差によって表される請求項１２に記載の方法。
【請求項１６】
前記基準包括的ＶＤＬ、前記基準時間ＶＤＬ、および前記基準空間ＶＤＬが、動的な複雑性の参照テーブルまたは静的な複雑性の参照テーブルの少なくとも１つの行に由来する請求項１２に記載の方法。
【請求項１７】
前記入力ビデオの調整された包括的符号化複雑性、前記時間符号化複雑性、および前記空間符号化複雑性によって前記入力ビデオを符号化する工程が、
前記入力ビデオに関連する目標のビットレートに基づいてＣＲＦ基準ビットレート・モデルから得られた固定レート因子（ＣＲＦ）によって前記入力ビデオを符号化する工程と、
符号化する該工程から改訂因子を計算する工程と、
該改訂因子によって該ＣＲＦ基準ビットレート・モデルを修正する工程と、
修正されたＣＲＦ基準ビットレート・モデルから得られた該固定レート因子によって前記入力ビデオを符号化する工程とをさらに含む請求項１２に記載の方法。
【請求項１８】
修正された固定ビットレート因子によって前記入力ビデオを符号化する実際のビットレートが前記入力ビデオの前記目標のビットレートの所定の範囲内にあるかどうかを検証する工程をさらに含む請求項１７に記載の方法。
【請求項１９】
複数のビデオに対するビデオ符号化の前記固定レート因子とレート−歪みの性能との間の関係をモデル化する工程と、
モデル化する該工程からビデオ符号化の固定レート因子と平均ビットレートとの間の１つまたは複数の関係を得る工程とをさらに含む請求項１７に記載の方法。
【請求項２０】
ビデオ符号化の前記固定レート因子と前記レート−歪みの性能との間の前記関係が、複数のビデオの符号化の固定レート因子と平均ビットレートとの間の前記関係をモデル化する請求項１９に記載の方法。
【請求項２１】
入力ビデオの符号化ビットレート、歪み、および複雑性を最適化するための実行可能なコンピュータ・プログラム命令を記録する非一時的なコンピュータ可読記憶媒体であって、前記コンピュータ・プログラム命令が、
該入力ビデオの包括的ビデオ記述長（ＶＤＬ）、時間ＶＤＬ、および空間ＶＤＬを取得するための命令と、
該入力ビデオの該包括的ＶＤＬ、該時間ＶＤＬ、および該空間ＶＤＬを、対応する基準包括的ＶＤＬ、基準時間ＶＤＬ、および基準空間ＶＤＬと比較するための命令と、
該比較に基づいて該入力ビデオの符号化ビットレート、包括的符号化複雑性、時間符号化複雑性、および空間符号化複雑性を調整するための命令と、
該入力ビデオの調整された符号化ビットレート、該包括的符号化複雑性、該時間符号化複雑性、および該空間符号化複雑性によって該入力ビデオを符号化するための命令とを含み、
該入力ビデオの包括的ＶＤＬは該入力ビデオの包括的なコンテンツ複雑性を示し、該入力ビデオの時間ＶＤＬは該入力ビデオの時間的な複雑性を示し、該入力ビデオの空間ＶＤ
Ｌは該入力ビデオの空間的な複雑性を示す、コンピュータ可読記憶媒体。
【請求項２２】
前記入力ビデオの前記包括的ＶＤＬが、所定の固定レート因子および計算複雑性レベルにより符号化された前記入力ビデオの実際のビットレートによって表される請求項２１に記載のコンピュータ可読記憶媒体。
【請求項２３】
前記入力ビデオの前記時間ＶＤＬが、同じ所定の固定レート因子および異なる計算複雑性レベルによって符号化された前記入力ビデオの実際のビットレートの間の差によって表される請求項２１に記載のコンピュータ可読記憶媒体。
【請求項２４】
前記入力ビデオの前記空間ＶＤＬが、異なる所定の固定レート因子および同じ計算複雑性レベルによって符号化された前記入力ビデオの実際のビットレートの間の差によって表される請求項２１に記載のコンピュータ可読記憶媒体。
【請求項２５】
前記入力ビデオの調整された包括的符号化複雑性、前記時間符号化複雑性、および前記空間符号化複雑性によって前記入力ビデオを符号化するための前記コンピュータ・プログラム命令が、
前記入力ビデオに関連する目標のビットレートに基づいてＣＲＦ基準ビットレート・モデルから得られた固定レート因子（ＣＲＦ）によって前記入力ビデオを符号化するための命令と、
該符号化から改訂因子を計算するための命令と、
該改訂因子によって該ＣＲＦ基準ビットレート・モデルを修正するための命令と、
修正されたＣＲＦ基準ビットレート・モデルから得られた該固定レート因子によって前記入力ビデオを符号化するための命令とをさらに含む請求項２１に記載のコンピュータ可読記憶媒体。
【請求項２６】
複数のビデオに対するビデオ符号化の固定レート因子とレート−歪みの性能との間の関係をモデル化するためのコンピュータ命令と、
該モデル化からビデオ符号化の前記固定レート因子と平均ビットレートとの間の１つまたは複数の関係を得るためのコンピュータ命令とをさらに含む請求項２５に記載のコンピュータ可読記憶媒体。
【請求項２７】
ビデオ符号化の前記固定レート因子と前記レート−歪みの性能との間の前記関係が、複数のビデオの符号化の固定レート因子と平均ビットレートとの間の前記関係をモデル化する請求項２６に記載のコンピュータ可読記憶媒体。